(57)【要約】【課題】鑑賞者の視線方向と時間の経過に応じて、鑑賞者に異なる発光色を提示する色表示モジュールを提供すること【解決手段】  全球レンズ１０と、その全球レンズを保持するホルダ１２を備える。ホルダの上面には、半球状の凹部１６を備え、凹部１６の内周面にはホルダの下方に配置したＬＥＤ２０の発光色が写り、その発光色が全球レンズを介して外部から視認可能となる。全球レンズに対し見る方向により、視認可能となるＬＥＤの発光色が異なるので、各ＬＥＤを異なる発光色で発光させると、鑑賞者の視線方向により鑑賞者に異なる発光色を提示でき、ＬＥＤをカラーＬＥＤで構成し、一つのＬＥＤの発光色を変えるように制御することで、時間の経過によっても鑑賞者に異なる発光色を提示する。【選択図】        図１
2019033027.tif 000002
【特許請求の範囲】
【請求項１】
全球レンズと、
その全球レンズを保持するホルダと、を備え、
そのホルダの前記全球レンズに対向する面の異なる位置に色表示部を設け、
その異なる位置に設けた前記色表示部の色は異なる色を表示し、
前記色表示部の色は、前記全球レンズを介して外部から視認可能であり、
前記全球レンズに対し見る方向により、視認可能となる前記色表示部が異なるように構成したことを特徴とする色表示モジュール。
【請求項２】
前記全球レンズは、前記色表示部に対して光学的に離れた状態で保持されることを特徴とする請求項１に記載の色表示モジュール。
【請求項３】
前記色表示部は、発光体から発せられる光に基づく色を表示すものであることを特徴とする請求項１または２に記載の色表示モジュール。
【請求項４】
前記色表示部は、着色により形成されることを特徴とする請求項１から３のいずれか１項に記載の色表示モジュール。
【請求項５】
前記ホルダは、前記全球レンズを複数個保持するものであることを特徴とする請求項１から４のいずれか１項に記載の色表示モジュール。
【請求項６】
請求項１から５のいずれか１項に記載の色表示モジュールを複数備え、
その複数の色表示モジュールを立体配置することを特徴とする立体構造物。
【発明の詳細な説明】
【技術分野】
【０００１】
本発明は、色表示モジュール及び立体構造物に関するものである。
【背景技術】
【０００２】
例えば、複数の発光体を立体的に配置した立体構造物がある。この発光体の発光色を時間経過に伴い変化させると、時間経過に応じて色変化する立体構造物を構成することができる。
【先行技術文献】
【特許文献】
【０００３】
【特許文献１】特開２０１２−２３８６０５
【発明の概要】
【発明が解決しようとする課題】
【０００４】
しかしながら、係る立体構造物は、鑑賞者の視線方向に応じて、鑑賞者に異なる色を提示することができなかった。しかも、簡単な構成で視線方向の変化を広範囲で対応することができないという課題がある。
【課題を解決するための手段】
【０００５】
（１）上述した課題を解決するために、本発明の色表示モジュールは、全球レンズと、その全球レンズを保持するホルダと、を備え、そのホルダの前記全球レンズに対向する面の異なる位置に色表示部を設け、その異なる位置に設けた前記色表示部の色は異なる色を表示し、前記色表示部の色は、前記全球レンズを介して外部から視認可能であり、前記全球レンズに対し見る方向により、視認可能となる前記色表示部が異なるように構成した。
【０００６】
本発明によれば、視線方向により全球レンズを介して見える色が変化するのでよい。さらに、全球レンズを用いることで、色が見える視線方向の範囲を広範囲にすることができる。
【０００７】
（２）前記全球レンズは、前記色表示部に対して光学的に離れた状態で保持されるようにするとよい。このようにすると、予期しない色表示部の色が見えてしまうことを可及的に抑制できるのでよい。
【０００８】
（３）前記色表示部は、発光体から発せられる光に基づく色を表示すものとするとよい。このようにすると、時間経過に応じても色変化を行えるのでよい。
【０００９】
（４）前記色表示部は、着色により形成されるようにするとよい。このようにすると、簡単な構成で視線方向に応じて色変化させることができる。
【００１０】
（５）前記ホルダは、前記全球レンズを複数個保持するものとするとよい。このようにすると、視線方向に応じて表面色が変化する立体物が造形可能となる。
【００１１】
（６）（１）から（５）のいずれか１つに記載の色表示モジュールを複数備え、その複数の色表示モジュールを立体配置するようにした。このようにすると、鑑賞者の視線方向の変化に応じて、鑑賞者に異なる色を提示する立体構造物となる。
【発明の効果】
【００１２】
本発明は、視線方向に応じて色変化する色表示モジュールや立体構造物を構成することができる。
【図面の簡単な説明】
【００１３】
【図１】（ａ）は本発明に係る色表示モジュールの好適な一実施形態を示す正面図であり、（ｂ）はその断面図であり、（ｃ）はホルダの平面図であり、（ｄ）は図（ａ）におけるａ−ａ線矢視断面図である。
【図２】（ａ）は色表示モジュールの斜視図であり、（ｂ）はそのホルダの斜視図である。
【図３】立体構造物の一例を示す図である。
【図４】（ａ）は色表示モジュールの別の実施形態を示す斜視図であり、（ｂ）はそのホルダの斜視図である。
【図５】色表示モジュールの別の実施形態を示す斜視図である。
【発明を実施するための形態】
【００１４】
以下、本発明の好適な実施形態について図面に基づき、詳細に説明する。なお、本発明は、これに限定されて解釈されるものではなく、本発明の範囲を逸脱しない限りにおいて、当業者の知識に基づいて、種々の変更、修正、改良を加え得るものである。
【００１５】
本実施形態の色表示モジュール１は、全球レンズ１０と、その全球レンズ１０を保持するホルダ１２と、ホルダ１２の底面に配置した光源部１３を備える。本実施形態のホルダ１２は、両端開口した円筒形からなり、その内部には軸方向に延びる多数の仕切壁１４を一体に形成する。隣接する仕切壁１４により囲まれた空間が、それぞれ貫通孔１５を構成する。各貫通孔１５は、軸と平行に配置される。
【００１６】
両端開口したホルダ１２の一方の先端側には、全球レンズ１０の一部を収納する凹部１６を備える。凹部１６は、仕切壁１４の一端縁を、半球状の周面に外接するように切除した形状にすることで構成する。この半球状の凹部１６の内径は、全球レンズ１０の直径よりも大きくしている。そして、凹部１６の内周面を構成する仕切壁１４の一端縁の所定位置には、半球状の凹部１６の中心に向かって突出する突起１７を形成する。突起１７の突出量は、凹部１６と全球レンズ１０の半径の差と等しくする。そして突起１７は、凹部１６の最深部と、上方周縁部に設ける。これにより、凹部１６内に全球レンズ１０をセットした状態では、全球レンズ１０の表面に突起１７が接触して当該全球レンズ１０を保持する。この保持した状態では、全球レンズ１０と凹部１６の中心が一致し、全球レンズ１０の表面は、凹部１６の内周面から所定距離だけ離れる。さらに、全球レンズ１０の表面と凹部１６の内周面との間の距離は、全面で等しくしている。
【００１７】
全球レンズ１０と、ホルダ１２とは、例えば光学的に透明な接着剤を用いて全球レンズ１０と突起１７を接着等して固定して一体化しても良いし、そのように接着して一体化するのではなく凹部１６内に全球レンズ１０を置くだけでも良い。例えば、接着などして全球レンズ１０とホルダ１２を一体化した場合、例えば色表示モジュール１の姿勢を横に倒したり、下を向けたりした状態にすることもでき、色表示モジュール１の設置の自由度が増すので良い。
【００１８】
複数の仕切壁１４で構成される貫通孔１５の上端開口部は、膜部材１８で覆う。具体的には、仕切壁１４の一端縁と膜部材１８との接触部位を接着剤を用いて接着固定する。膜部材１８は、例えば透過型のスクリーンに用いる材料などを用いると良く、裏側から光を照射した場合に、当該光が膜部材を透過して手前側、すなわち、凹部１６，ホルダ１２の外側から光を視認可能となる。さらに本実施形態では、その裏面側から照射された光は、膜部材１８で拡散し、仕切壁１４で区画された一つの貫通孔の開口部が、全体的に発光するようになり、当該開口部に対応する膜部材１８の部分が発光面となり、本発明の色表示部となる。
【００１９】
光源部１３は、各貫通孔１５の下方端部の所定位置に発光体としてのＬＥＤ２０を備える。ＬＥＤ２０は、カラーＬＥＤであり、任意の色を発光する。所定位置は、例えば、各貫通孔１５の中心とするとよい。さらに光源部１３は、図示省略するが、ＬＥＤ２０の発光を制御する制御部と、ＬＥＤ２０，制御部に電力供給する内部電池等を備える。
【００２０】
制御部は、複数のＬＥＤ２０の少なくとも一部が異なる色で発光するように制御する。全てのＬＥＤ２０がそれぞれ異なる色で発光するようにしても良いし、一部のＬＥＤ２０は同じ色で発光し、別のＬＥＤ２０がそれと異なる色で発光するようにしてもよい。各ＬＥＤ２０から出射した光は、貫通孔１５内を進み、他端の開口部に設けられた膜部材１８の裏面に照射される。これにより、膜部材１８の表面は、対応するＬＥＤ２０の発光色で光る。よって、凹部１６の内周面は、各貫通孔１５に対向する領域が、それぞれ対応するＬＥＤ２０の発光色で発光する。つまり異なる位置に配置される各貫通孔１５に対応する色表示部の発光色が、異なる色となる。
【００２１】
上述したように、凹部１６の内周面は、異なるそれぞれの部位で所定の色で発光している。各部位で発光している色は、そのまま全球レンズ１０内を通過し、全球レンズ１０の表面から所定方向に向けて出射する。このとき異なる位置で発光する光は、全球レンズ１０から異なる方向に向けて出射する。換言すると、全球レンズ１０を外側から見た人は、見る方向を変えると、全球レンズ１０を介して見える色表示部が異なる。例えば、鑑賞者が全球レンズ１０を正面から見た場合には、凹部１６の中央付近にある色表示部の発光色を視認する。また、鑑賞者が、全球レンズ１０に対して斜め方向から見た場合には、凹部１６の周縁側にある色表示部の発光色を視認する。これにより、同じ色表示モジュール１であっても見る角度により異なる色を視認することができる。しかも、本実施形態では、全球レンズ１０を用い、発光面・色表示部も全球レンズ１０の表面に沿った半球面としたので、全球レンズ１０の正面の垂直方向から、真横の水平方向までのいずれの角度方向から見てもいずれかの一又は複数の色表示部の発光色を視認することができる。本実施形態では、色表示部の表示色を視認できるエリアが、ホルダ１２の先端面と平行な水平平面内で３６０度、当該先端面に対する垂直平面内で１８０度の半天球の広い範囲にすることができる。
【００２２】
図示の例では、貫通孔１５ひいては色表示部は１２個設けているが、例えば１つの貫通孔１５の大きさを小さくし、設置数を多くすると良い。このように設置数を多くし、相対的に貫通孔１５の面積を小さくすることで、発光面・色表示部の単位面積も小さくなる。その結果、例えば、隣接する複数の色表示部の発光色を見させることができる。そして係る複数の色表示部の発光色を異ならすことで、一つの全球レンズ１０を介して複数色からなる趣のあるパターンや、絵・マークの一部又は全部を見せたり、文字の一部又は全部の構成要素を見させたりすることができる。また、個々の色表示部を小さくすることで、凹部１６の内周面に配置した膜部材１８が、曲面のディスプレイを配置したようになり、奥側で光るＬＥＤ２０の発光色を制御することで色々なメッセージ等を表示することができる。
【００２３】
さらに本実施形態では、全球レンズ１０を浮かして全球レンズ１０と凹部１６の内周面の色表示部との間を離したため、目的とする所望の色表示部の発光色を視認させることができ、より限定した色を見せることができるので良い。これに対し、全球レンズ１０と色表示部を接触させると、隣接する色表示部の発光色が回り込みにより、予期しない余分な色まで見えてしまう。本来見える色以外に別の色も見えてしまうので離す方が良い。
【００２４】
なお、本実施形態では、離す距離を全球レンズ１０の半径と、凹部１６の半径の差に相当する長さとし、全球レンズ１０の半球部分がホルダ１２の外に突出するようにしたが、本発明はこれに限ることはなく、長さを適宜変更することで全球レンズ１０のホルダ１２の外側に突出する距離を変えても良い。このように距離を変えることで、発光面・色表示部から発する光の全球レンズ１０からの出射角度が異なるのでよい。
【００２５】
上述した実施形態では、突起１７にて全球レンズ１０を持ち上げ、凹部１６の内周面との間に空間を設けるようにしたが、本発明はこれに限ることはなく、凹部１６の内周面と全球レンズ１０の間に、光学的に透明な調整部材を間に挟んでも良い。このようにすると、より強固に固定でき、離反させる距離も安定するのでよい。
【００２６】
上述した実施形態では、ＬＥＤ２０は、カラーＬＥＤを用い、制御部がカラーＬＥＤの発光色を変更制御するようにしたが、本発明はこれに限ることはなく、固定の色を発光するＬＥＤを適宜位置に配置するようにしてもよい。
【００２７】
色表示モジュール１は、単体で構成しても良いし、複数個を実装して立体構造物としても良い。図３は、本発明に係る立体構造物の好適な一実施形態を示している。図３（ａ），（ｂ）は、立体構造物の第一実施形態を示しており、立方体の本体２５の６つの面並びに各辺の部分に、上述した色表示モジュール１を配置する。この例では、複数の色表示モジュール１は、同一構成のものを用いている。すなわち、複数の色表示部は、同じ箇所は同じ色が表示するようにしている。
【００２８】
係る構成を採ることで、例えば図３（ａ）に示すようにある方向から見た場合には、各色表示モジュール１は、例えば水色に発光している状態が視認でき、その位置から鑑賞者が図中右に移動して各色表示モジュール１に対する視線の方向が変わると、各色表示モジュール１内の別の色表示部で発光している色（例えば、黄色）を見ることができる。
【００２９】
また、複数の色表示モジュール１を取り付ける本体の形状は、上述したような立方体のように単純な幾何学の立体形状に限ることはなく、各種の形状のものとすると良い。一例としては、図３（ｃ），（ｄ）に示す第二実施形態のように、立体構造物は、人型の本体２６の表面に、色表示モジュール１を装着して構成する。この例では、鑑賞者が見る角度により全身が緑色に見えたり（図３（ｃ））、赤色に見えたりする（図３（ｄ））。
【００３０】
また、図３に示す例では、全体が同じ色に見えるようにしたが、本発明はこれに限ることはなく例えば各色表示モジュール１内の色表示部の発光色を色表示モジュール１毎に変えることで、部分的に異なる色を表示するようになる。
【００３１】
また、上述した立体構造物のように複数の色表示モジュール１を本体に実装する場合、ＬＥＤを発光するための電源や、発光を制御する制御部を、個々の色表示モジュール１に実装するのではなく、複数の色表示モジュール１に対して一括して行うようにしてもよい。
【００３２】
上述した実施形態では、色表示モジュール並びにそれを実装した立体構造物は、ＬＥＤ等の発光体を用い、色表示部の表示色を発光色を利用したが、本発明はこれに限ることはなく例えば、着色により形成してもよい。図４は、係る着色を利用した色表示モジュール１の一実施形態を示している。この実施形態では、ホルダ１２は、扁平な矩形体からなり、その上面に半球状の凹部１６を形成する。この凹部１６の内周面に、場所により異なる色を着色する（図４（ｂ）参照）。
【００３３】
この着色は、例えば、凹部１６を有するホルダ１２を形成後に、その凹部１６内に所定の色を塗布するようにしてもよいが、ホルダ１２ひいては凹部１６の寸法形状が小さくなったり、ホルダ１２の形状が複雑化すると、後工程で塗布するのは煩雑となるとともに、所望位置に所望の色を塗布したりするのが難しくなる。係る場合、例えば３Ｄプリンタを用いて所定形状のホルダ１２を製造しながら表面の所定位置に所定の色が出るようにするとよい。
【００３４】
また本実施形態においても、凹部１６に対し、全球レンズ１０を浮かし、表面を所定距離だけ離すようにするとよい。
【００３５】
さらにまた、上述した各実施形態では、一つのホルダに一つの全球レンズを装着する例を示したが、本発明はこれに限ることはなく、一つのホルダに複数の全球レンズを装着するようにしてもよい。例えば、図５に示すように、立体、例えば球体状の本体２８の表面に多数の半球に窪んだ凹部１６を設け、その凹部１６内に全球レンズ１０を装着する。そして、個々の凹部１６の内面を多色に塗ると、見る角度により多色のうちのどれかが見える。
【００３６】
上述したように色表示部の表示色が着色により固定の場合でも、見る角度より表示内容が変わる面白さがあり、しかも、色表示部の設置位置を適宜にすることで、全球レンズに対して真横から見ても所定の色を視認でき、色が変わる範囲が例えば１８０度近くという広範囲にすることができるのでよい。また、形や空間に依存しないので良い。
【００３７】
さらに本形態では、視線方向による色変化する立体ディスプレイあるいは空間ディスプレイが構築できる。これにより、視線に応じたインフォメーションや裸眼バーチャルリアリティが可能になる。例えば、街頭に設置し、見る角度により異なる地図内容（進む方向に関するもの）が表示されるようにすると良い。また立体造形における新たな質感表現等が可能となる。
【００３８】
さらに表示色をＬＥＤ等の発光体を用いることで、視線方向に応じて異なる動画像を提示するナビゲーション立体構造物やデジタルサイネージを提供することができる。
【００３９】
以上、本発明の様々な側面を実施形態並びに変形例を用いて説明してきたが、これらの実施形態や説明は、本発明の範囲を制限する目的でなされたものではなく、本発明の理解に資するために提供されたものであることを付言しておく。本発明の範囲は、明細書に明示的に説明された構成や製法に限定されるものではなく、本明細書に開示される本発明の様々な側面の組み合わせをも、その範囲に含むものである。本発明のうち、特許を受けようとする構成を、添付の特許請求の範囲に特定したが、現在の処は特許請求の範囲に特定されていない構成であっても、本明細書に開示される構成を、将来的に特許請求する可能性があることを、念のために申し述べる。
【符号の説明】
【００４０】
１    ：色表示モジュール
１０  ：全球レンズ
１２  ：ホルダ
１３  ：光源部
１４  ：仕切壁
１５  ：貫通孔
１６  ：凹部
１７  ：突起
１８  ：膜部材
２０  ：ＬＥＤ
２５  ：本体
２６  ：本体
２８  ：本体
【図１】
2019033027.tif 000003
【図２】
2019033027.tif 000004
【図３】
2019033027.tif 000005
【図４】
2019033027.tif 000006
【図５】
2019033027.tif 000007
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
全球レンズと、
その全球レンズを保持するホルダと、を備え、
そのホルダの前記全球レンズに対向する面の異なる位置に色表示部を設け、
その異なる位置に設けた前記色表示部の色は異なる色を表示し、
前記色表示部の色は、前記全球レンズを介して外部から視認可能であり、
前記全球レンズに対し見る方向により、視認可能となる前記色表示部が異なるように構成し、
前記ホルダは、前記色表示部を設けた面とその反対側の両端に開口し、その内部は軸方向に延びる多数の仕切壁を有し、隣接する仕切壁により囲まれた空間により、前記両端の開口同士を繋ぐ複数の貫通孔を形成し、
その複数の貫通孔の一端が、それぞれ前記色表示部となり、
前記複数の貫通孔の他端に対向するようにそれぞれ発光体を設け、
その各発光体から発せられる光が、対向する前記貫通孔を通って前記他端に至り前記色表示部が光るように構成したことを特徴とする色表示モジュール。
【請求項２】
前記全球レンズは、前記色表示部に対して光学的に離れた状態で保持されることを特徴とする請求項１に記載の色表示モジュール。
【請求項３】
前記色表示部は、前記全球レンズの表面に沿った半球面に配置することを特徴とする請求項１または２に記載の色表示モジュール。
【請求項４】
前記貫通孔の前記一端側の開口は、膜部材で覆われることを特徴とする請求項１から３のいずれか１項に記載の色表示モジュール。
【請求項５】
前記ホルダは、前記全球レンズを複数個保持するものであることを特徴とする請求項１から４のいずれか１項に記載の色表示モジュール。
【請求項６】
請求項１から５のいずれか１項に記載の色表示モジュールを複数備え、
その複数の色表示モジュールを立体配置することを特徴とする立体物造物。